(57)【特許請求の範囲】
【請求項１】
ポンプ吐出流体のアクチュエータへの供給系統に絞りを配置し、その絞り上流の圧力により開度を増加させる方向に付勢されると共に前記絞り下流の圧力により開度を減少させる方向に付勢され、その絞り前後の圧力差が所定値を超えるとき作動して、絞り上流の作動流体をポンプ吸込通路に連通した還流通路へ還流するスプール弁を備えたフローコントロール弁と、
前記フローコントロール弁の絞り下流の制御吐出圧を、指令電流により設定された圧力値に対応して開閉し、絞り下流の作動流体をポンプ吸込通路への戻し通路に還流させて調整する電磁比例リリーフ弁と、
前記フローコントロール弁の還流通路との合流部分から前記電磁比例リリーフ弁までの戻し通路中に設けたオリフィスと、から構成したことを特徴とするポンプ吐出圧制御装置。
【請求項２】
前記オリフィスは、前記電磁比例リリーフ弁の出口穴、若しくは、前記戻し通路を構成する通路穴を小径にして構成したことを特徴とする請求項１に記載のポンプ吐出圧制御装置。
【請求項３】
ポンプ吐出流体のアクチュエータへの供給系統に絞りを配置し、その絞り上流の圧力により開度を増加させる方向に付勢されると共に前記絞り下流の圧力により開度を減少させる方向に付勢され、その絞り前後の圧力差が所定値を超えるとき作動して、絞り上流の作動流体をポンプ吸込通路に連通した還流通路へ還流するスプール弁を備えたフローコントロール弁と、
前記フローコントロール弁の絞り下流の制御吐出圧を、指令電流により設定された圧力値に対応して開閉し、絞り下流の作動流体をポンプ吸込通路への戻し通路に還流させて調整する電磁比例リリーフ弁と、
前記戻し通路が連通するフローコントロール弁の還流通路からポンプ吸込通路に至る経路に接続したアキュムレータと、から構成したことを特徴とするポンプ吐出圧制御装置。
【請求項４】
ポンプ吐出流体のアクチュエータへの供給系統に絞りを配置し、その絞り上流の圧力により開度を増加させる方向に付勢されると共に前記絞り下流の圧力により開度を減少させる方向に付勢され、その絞り前後の圧力差が所定値を超えるとき作動して、絞り上流の作動流体をポンプ吸込通路に連通した還流通路へ還流するスプール弁を備えたフローコントロール弁と、
前記フローコントロール弁の絞り下流の制御吐出圧を、指令電流により設定された圧力値に対応して開閉し、絞り下流の作動流体を戻し通路を介して直接リザーバタンクに還流させて調整する電磁比例リリーフ弁と、から構成したことを特徴とするポンプ吐出圧制御装置。
【発明の詳細な説明】
【０００１】
【発明の属する技術分野】
本発明は、ポンプ吐出圧制御装置に関し,特にアクチュエータへの供給圧力を制御する場合に流体圧力を安定して供給できるポンプ吐出圧制御装置に関するものである。
【０００２】
【従来の技術】
従来、自動車および産業車両に用いられているポンプ吐出圧制御装置としては、特開平８−４２５１３号公報に記載されたものがある。
【０００３】
前記特開平８−４２５１３号公報に記載されたものは、ポンプ吐出流体を流量可変絞りを介してアクチュエータに供給する一方、前記流量可変絞りの前後の圧力差が所定値となるように前記流量可変絞り上流の作動流体の一部を適宜前記圧力差に感応するフローコントロール弁を介してポンプの吸い込み側へ還流している。
【０００４】
この作動流体の還流量は、ポンプの吐出流量からアクチュエータの必要流量を差し引いた量に相当し、アクチュエータの必要量が車両速度の増加と共に低下するパワーステアリング装置にあっては、エンジン回転数に比例して増加する吐出流量は高速走行時には大部分が還流されることとなる。
【０００５】
このため、前記増加した還流量の作動流体が通過する還流通路は、この還流量にあっても通路抵抗が少ない高容量（通路の径を大きくする等）の通路に形成して、この通路抵抗による背圧上昇等の圧力変動を抑制して、前記流量可変絞り前後の圧力差が変化することによるアクチュエータへの供給流量の変化を抑制するようにしている。
【０００６】
【発明が解決しようとする課題】
しかしながら、従来のポンプ吐出圧制御装置において、アクチュエータへ供給する供給流量を制御することに加えて、アクチュエータへ供給する制御吐出圧を制御するようにしてアクチュエータを制御したい場合がある。
【０００７】
このような場合、前記流量可変絞りの下流のアクチュエータへの吐出流体を電磁比例リリーフ弁に導き、設定圧を超える場合には、吐出流体の一部を前記還流通路へ適宜還流させることで前記制御吐出圧を調圧することができる。
【０００８】
しかしながら、この方法では、前記還流通路への作動流体の還流量が変動する場合、前記還流通路内に圧力変動を生じる場合がある。
【０００９】
この圧力変動は、前記電磁比例リリーフ弁の背圧を変動させ、電磁比例リリーフ弁の上流の制御吐出圧を変動させ、前記フローコントロール弁を閉弁方向への押圧力が変動することで還流通路への還流量も変動し、この還流量の変動が再び電磁比例リリーフ弁の背圧変動を惹起するという発振が生じ、安定性に問題を生ずることがあった。
【００１０】
本発明は、上記従来の開題点に着目し成されたもので、フローコントロール弁からの還流通路の圧力変動の影響を受けず制御吐出圧の安定性確保ができるポンプ吐出圧制御装置を提供することを目的とする。
【００１１】
【課題を解決するための手段】
第１の発明は、ポンプ吐出流体のアクチュエータへの供給系統に絞りを配置し、その絞り上流の圧力により開度を増加させる方向に付勢されると共に前記絞り下流の圧力により開度を減少させる方向に付勢され、その絞り前後の圧力差が所定値を超えるとき作動して、絞り上流の作動流体をポンプ吸込通路に連通した還流通路へ還流するスプール弁を備えたフローコントロール弁と、前記フローコントロール弁の絞り下流の制御吐出圧を指令電流により設定された圧力値に対応して開閉し、絞り下流の作動流体をポンプ吸込通路への戻し通路に還流させて調整する電磁比例リリーフ弁と、前記フローコントロール弁の還流通路との合流部分から前記電磁比例リリーフ弁までの戻し通路中に設けたオリフィスと、から構成したことを特徴とする。
【００１２】
前記フローコントロール弁はアクチュエータへの作動流体の供給流量を制御するものであり、アクチュエータの要求特性に応じて前記絞りは固定絞りまたは可変絞りが選択される。
【００１４】
第２の発明は、第１の発明において、前記オリフィスは、前記電磁比例リリーフ弁の出口穴、若しくは、前記戻し通路を構成する通路穴を小径にして構成したことを特徴とする。
【００１５】
第３の発明は、ポンプ吐出流体のアクチュエータへの供給系統に絞りを配置し、その絞り上流の圧力により開度を増加させる方向に付勢されると共に前記絞り下流の圧力により開度を減少させる方向に付勢され、その絞り前後の圧力差が所定値を超えるとき作動して、絞り上流の作動流体をポンプ吸込通路に連通した還流通路へ還流するスプール弁を備えたフローコントロール弁と、前記フローコントロール弁の絞り下流の制御吐出圧を、指令電流により設定された圧力値に対応して開閉し、絞り下流の作動流体をポンプ吸込通路への戻し通路に還流させて調整する電磁比例リリーフ弁と、前記戻し通路が連通するフローコントロール弁の還流通路からポンプ吸込通路に至る経路に接続したアキュムレータと、から構成したことを特徴とする。
【００１６】
第４の発明は、ポンプ吐出流体のアクチュエータへの供給系統に絞りを配置し、その絞り上流の圧力により開度を増加させる方向に付勢されると共に前記絞り下流の圧力により開度を減少させる方向に付勢され、その絞り前後の圧力差が所定値を超えるとき作動して、絞り上流の作動流体をポンプ吸込通路に連通した還流通路へ還流するスプール弁を備えたフローコントロール弁と、前記フローコントロール弁の絞り下流の制御吐出圧を、指令電流により設定された圧力値に対応して開閉し、絞り下流の作動流体を戻し通路を介して直接リザーバタンクに還流させて調整する電磁比例リリーフ弁と、から構成したことを特徴とする。
【００１７】
【発明の効果】
したがって、第１、３，４の発明では、電磁比例リリーフ弁に流す指令電流に比例してパイロット圧を変化させ、フローコントロール弁のスプール弁に作用する押圧力を変化させ、フローコントロール弁のスプール弁を移動させ、上記押圧力に釣り合うよう還流通路への作動流体の還流量を調整して、アクチュエータへ供給する新たな制御吐出圧及びこの制御吐出圧に対して所定の圧力差をもつポンプ圧を得ることができる。
そして、還流通路を通過する還流量の変化で、還流通路中に圧力変動があった場合においても、フローコントロール弁の還流通路中の圧力変動が緩和され、戻し通路を介して電磁比例リリーフ弁には伝えられず、電磁比例リリーフ弁の設定圧力が前記還流通路中の圧力変動に影響されて変動することが防止できる。
【００１８】
そして、第１の発明では、フローコントロール弁の還流通路との合流部分から前記電磁比例リリーフ弁までの戻し通路中に設けたオリフィスによる圧力変動吸収手段を形成しているため、ポンプ吐出圧制御装置の全体構成および回路構成に何ら変更を加えることなく達成できる。
【００１９】
そして、第２の発明では、第１の発明の効果に加えて、オリフィスを、前記電磁比例リリーフ弁の出口穴、若しくは、前記戻し通路を構成する通路穴を小径にして構成したため、オリフィスを形成するための部材を設ける必要がなく、穴加工時に段付穴の加工を行うのみでオリフィスを形成できる。
【００２１】
また、第３の発明では、前記戻し通路が連通するフローコントロール弁の還流通路からポンプ吸込通路に至る経路に接続したアキュムレータを用いるため、ポンプ吐出圧制御装置の全体構成および回路構成に何ら変更を加えることなく達成できる。
【００２２】
また、アキュムレータの圧力変動特性を調整することで所望の圧力変動のみを吸収させることもできる。
また、第４の発明では、電磁比例リリーフ弁の戻し通路を直接リザーバタンクに接続するのみでよいため、構成が簡単であると共に還流通路の圧力変動に一切影響されないので電磁比例リリーフ弁の制御油圧を安定して精度良く制御できる。
【００２３】
【発明の実施の形態】
図１ないし図３は本発明の一実施態様を示し、図１はポンプ吐出圧制御装置の全体の油圧回路図であり、図２はフローコントロール弁の断面図であり、図３はフローコントロール弁のパイロット圧を制御する電磁比例リリーフ弁の断面図を示す。
【００２４】
図１において、ポンプ吐出圧制御装置１はフローコントロール弁２とフローコントロール弁２に隣接して配置される電磁比例リリーフ弁４とで構成され、これらフローコントロール弁２および電磁比例リリーフ弁４は、ポンプ３の図示しないケースに一体的に組込まれている。
【００２５】
前記ポンプ３はエンジン等のポンプ駆動源５により駆動され、作動流体をリザーバタンク６から吸込通路７を介して吸込み、その吐出流体は前記フローコントロール弁２を介してアクチュエータ８に供給する。アクチュエータ８からの作動流体はドレイン通路９を介して前記リザーバタンク６に戻る。
【００２６】
また、フローコントロール弁２からの還流された作動流体は還流通路１０を介してポンプ３の吸込通路７に直接戻される。
【００２７】
前記フローコントロール弁２は、ポンプ３からの作動流体を流量制御して下流に流す流量可変絞り２１を備え、流量可変絞り２１で流量制御された作動流体をアクチュエータ８に供給している。
【００２８】
前記流量可変絞り２１と並列にフローコントロールスプール弁２２（以下スプール弁という）が配置され、一端にはポンプ圧Ｐｏによりスプール弁２２を開弁方向に付勢すると共に、他端には流量可変絞り２１下流の制御吐出圧Ｐｃを微小な変動を抑制するオリフィス２３を介して導入したパイロット圧Ｐｐによりスプール弁２２を閉弁方向に付勢されている。
【００２９】
従って、スプール弁２２はポンプ圧Ｐｏとパイロット圧Ｐｐとのバランスに基づき変位し、パイロット圧Ｐｐを基準として所定の圧力値（上記圧力差に相当する）だけ高いポンプ圧Ｐｏとなるよう流量制御可変絞り２１上流の作動流体を開弁もしくは閉弁することで還流通路１０へ還流させてポンプ圧Ｐｏを調圧するようにしている。
【００３０】
前記フローコントロール弁２は、前記パイロット圧Ｐｐが異常に上昇した際に開弁して、パイロット圧Ｐｐを還流通路１０へ還流してスプール弁２２をポンプ圧Ｐｏにより開弁方向に変位させることでポンプ圧Ｐｏを減圧して制御吐出圧Ｐｃを回路圧の異常な上昇を阻止し所定圧以下に減圧するリリーフ弁２４を備えている。
【００３１】
図２により、フローコントロール弁２の構造の詳細を説明する。なお、同一部品には同一符号を付して説明する。
【００３２】
図２において、２０は図示しないポンプボデーの一部を示し、一端がプラグ２５で閉塞された摺動穴２６の他端は流量可変絞り２１を形成する小径穴２７を挟んでアクチュエータ８に作動流体を供給するポート２８に形成されている。前記ポート２８はパイロット圧Ｐｐの導入通路２９を介してパイロット圧室３０に連通し、導入通路２９の一部は小径のオリフィス２３に形成されている。
【００３３】
前記摺動穴２６の他端側にはポンプ３に連通するポンプポート３１が開口すると共にポンプポート３１の開口位置からプラグ２５側に若干離れて還流通路１０が開口している。
【００３４】
前記スプール弁２２は、大径部３２と中径部３３と小径部３４とからなる段付構造に形成され、大径部３２が摺動穴２６に摺動自在に挿入され、プラグ２５側の一端をパイロット圧Ｐｐが加えられるパイロット室３０に画成し、同時に大径部３２の他端側をポンプ圧Ｐｏが作用するポンプ圧室３５に画成する。
【００３５】
また、スプール弁２２はプラグ２５に着座したスプリング３６により他端側に付勢され、他端側のポンプ圧室３５の圧力によりスプール弁２２が前記スプリング３６に抗して移動するとき大径部３２で閉じていた還流通路１０の一部がポンプ圧室３５に開口してポンプ３からの作動流体の一部を還流通路１０に還流させるよう連通する。
【００３６】
さらに、スプール弁２２の中径部３３を挟んで他端から突出する小径部３４はそれが貫通する小径穴２７との間で流量可変絞り２１を形成している。
【００３７】
また、大径部３２はパイロット圧室３０に開口した中空に形成され、開口部にはスリーブ３７で保持されたバルブシート３８が設けられ、バルブシート３８には背面からリリーフスプリング３９により付勢され且つボールサポート４０により支持されたスチールボール４１が着座してリリーフ弁２４を構成している。
【００３８】
前記リリーフ弁２４により戻された作動流体は大径部３２に設けた横穴４２および環状グルーブ４３を介して前記還流通路１０に戻される。
【００３９】
即ち、ポンプ圧室３５に流入した流量をＱｏ，流量可変絞り２１を通過する流量をＱｃ，ポンプ圧室３５から還流通路１０へ還流される流量をＱｒｆとすると、流量Ｑｏは流量Ｑｃと流量Ｑｒｆとに振り分けられ、下記の関係を持つ。
Ｑｏ＝Ｑｃ＋Ｑｒｆ
また、スプール弁２２の大径部３２の断面積をＡｆ１，中径部３３の断面積をＡｆ２，小径部３４の断面積をＡｆ３とし、ポンプ圧室３５の圧力をＰｏ，ポート２８の制御吐出圧をＰｃ，パイロット室３０のパイロット圧をＰｐとし、Ｆｋをスプリング３６の荷重とすると、
Ｐｃ・Ａｆ３＋Ｐｏ（Ａｆ１−Ａｆ３）＝Ａｆ１・Ｐｐ＋Ｆｋ
の釣り合い式が成立する。
【００４０】
静的には、Ｐｃ＝Ｐｐであるから、上記式は下記のように変換できる。
（Ｐｏ−Ｐｐ）＝Ｆｋ／（Ａｆ１−Ａｆ３）
即ち、流量可変絞り２１の上流と下流との圧力差（Ｐｏ−Ｐｐ）は、スプリング３６の荷重Ｆｋにより決定される。また、上記式は、パイロット圧Ｐｐを調整することで制御吐出圧Ｐｃを調整し、所定の上記圧力差（Ｐｏ−Ｐｐ）の関係をもってポンプ圧Ｐｏをも調整することが理解できる。ポンプ圧Ｐｏは還流通路１０への流量Ｑｒｆにより増減される。
【００４１】
図１にもどり、前記電磁比例リリーフ弁４は、外部信号に基づいて設定リリーフ圧を変更可能となっているリリーフ弁であり、前記パイロット圧Ｐｐを設定リリーフ圧に調圧する。
【００４２】
従って、調圧時に一部のパイロット圧Ｐｐの作動流体を前記還流通路１０へ戻り通路１１を介して還流させることで設定リリーフ圧に調圧する。
【００４３】
設定リリーフ圧に調圧されたパイロット圧Ｐｐは前記スプール弁２２の他端に作用しスプール弁２２を移動させ、ポンプ圧Ｐｏをパイロット圧Ｐｐとバランスする圧力まで、開弁もしくは閉弁させて調圧し、前記流量可変絞り２１を介して下流の制御吐出圧Ｐｃが前記設定リリーフ圧となるよう制御する。
【００４４】
前記電磁比例リリーフ弁４の戻り通路１１には、オリフィス１２が配置され、還流する作動流体はこのオリフィス１２を通過した後に前記還流通路１０へ流入する。
【００４５】
図３により、電磁比例リリーフ弁４の構造の詳細を説明する。なお、同一部品には同一符号を付して説明する。
【００４６】
前記電磁比例リリーフ弁４はバルブ部５０と比例ソレノイド部６０とで構成される。
【００４７】
バルブ部５０は、バルブシート５１にポペット５２を着座させるポペット弁であり、比例ソレノイド部６０先端に固定されたスリーブ５３内にバルブシート５１が固定され、ポペット５２は摺動自在に保持されている。
【００４８】
前記スリーブ５３は比例ソレノイド部６０が図示しないポンプボデーに取付けられるとき、バルブシート５１の背面からパイロット圧Ｐｐを導入している。
【００４９】
また、背面からソレノイドシャフト６１によりバルブシート５１側に押圧されているポペット５２がバルブシート５１から離脱して開弁するとき、作動流体はスリーブ５３に設けた横穴５４を介して戻り通路１１に流入するようにしている。
【００５０】
そして、本詳細図では図１とは異なり、戻り通路１１中に配置されていたオリフィス１２に代えて前記スリーブ５３の横穴５４を一部小径の段付穴として段付穴の小径穴部５５にオリフィス機能を持たせるようにしている。
【００５１】
比例ソレノイド部６０は、ソレノイドコイル組立体６２とこの組立体６２とともに磁気回路を形成するベース６３、プレート６４、プラグ６５、アーマチャ６６から構成され、リード線６７により制御電流が加えられるとき、制御電流値に応じた吸引力をもって、アーマチャ６６をベース６３側へ吸引するよう機能する。
【００５２】
前記アーマチャ６６は前記ソレノイドシャフト６１に固定され、ソレノイドシャフト６１はスプリング６８により前記ポペット５２側に付勢され、ポペット５２をバルブシート５１に着座させる。
【００５３】
アジャスタ６９は、スプリング６８の付勢力を調整するものであり、これを操作することによって制御電流が印加されない場合の圧力値の高低を調整することが出来る。
【００５４】
即ち、前記制御電流が印加されない場合には、ポペット５２はソレノイドシャフト６１を介してスプリング６８の押圧力を受けて閉弁している。
【００５５】
この状態におけるスプリング６８の押圧力をＦｓ，バルブシート５１の開口面積をＡｐとすると、開弁圧力即ちパイロット圧力Ｐｐは、Ｐｐ＝Ｆｓ／Ａｐで決定される。
【００５６】
制御電流を印加すると、前記スプリング６８に対向する力Ｆｓｏｌがソレノイドシャフト６１に作用することとなり、その場合のパイロット圧Ｐｐは、
Ｐｐ＝（Ｆｓ−Ｆｓｏｌ）／Ａｐ
となり、このパイロット圧Ｐｐは、Ｆｓｏｌ／Ａｐだけ、即ち、比例ソレノイド部６０により加えられた力だけ低く設定される。
【００５７】
次に作動を説明する。
【００５８】
ポンプ３を駆動し、作動流体を一方では流量可変絞り２１を介してアクチュエータ８に供給し、他方ではスプール弁２２を介して還流通路１０を介してポンプ吸込通路７に還流させている。電磁比例リリーフ弁４に制御電流を供給していない状態では、パイロット圧Ｐｐは前記のごとくスプリング６８により設定された圧力となっている。
【００５９】
この状態で、電磁比例リリーフ弁４に指令電流を流すと、それに比例して合計スプリング力（Ｆｓ−Ｆｓｏｌ）を調整し、この調整された合計スプリング力（Ｆｓ−Ｆｓｏｌ）に比例したパイロット圧Ｐｐが発生し、このパイロット圧Ｐｐはフローコントロール弁２のスプール弁２２に作用する押圧力を変化させる。
【００６０】
この押圧力の変化はフローコントロール弁２のスプール弁２２を移動させ、上記押圧力に釣り合う新たな制御吐出圧Ｐｃ（制御吐出圧Ｐｃがパイロット圧Ｐｐの値となる）およびポンプ圧Ｐｏ（前記したごとく制御吐出圧Ｐｃに対して所定の圧力差をもつ）となるよう還流通路１０への作動流体の還流量を調整する。
【００６１】
上記調整において、還流通路１０を通過する還流量の変化で、還流通路１０中に圧力変動があった場合、この圧力変動は、図１の戻り通路１１中に設けられたオリフィス１２により減衰されるため、電磁比例リリーフ弁４には伝達されず、電磁比例リリーフ弁４は安定して作動する。
【００６２】
図３の電磁比例リリーフ弁４にあっても、スリーブ５３の段付穴５４で形成した小径穴５５がオリフィスとして機能して上記と同様に機能する。
【００６３】
従って、この態様にあっては、ポンプ吸込通路７へ還流させる電磁比例リリーフ弁４の戻し通路１１に圧力変動吸収手段としてオリフィス１２，５５を設けたため、フローコントロール弁２の還流通路１０中の圧力変動が上記圧力変動吸収手段１２，５５により緩和吸収され、電磁比例リリーフ弁４の戻し通路１１に伝えられるため、電磁比例リリーフ弁４の設定圧力が前記還流通路１０中の圧力変動に影響されて変動することが防止できる。
【００６４】
そして、フローコントロール弁２の還流通路１０との合流部分から前記電磁比例リリーフ弁４までの戻し通路１１中に設けたオリフィス１２で圧力変動吸収手段を形成しているため、ポンプ吐出圧制御装置１の全体構成および回路構成に何ら変更を加えることなく達成できる。
【００６５】
また、図３にあっては、オリフィスを、前記電磁比例リリーフ弁４の出口穴（横穴５４）、若しくは、前記戻し通路１１を構成する通路穴の一部を小径穴５５にして構成したため、オリフィスを形成するための部材を設ける必要がなく、穴加工時に段付穴の加工を行うのみでオリフィスを形成できる。
【００６６】
図４に示すポンプ吐出圧制御装置１は、本発明の他の実施態様を示すものである。図１に示す態様と同一の部分には同一の符号を付して説明する。
【００６７】
図４にあっては、電磁比例リリーフ弁４の戻り通路１３をフローコントロール弁２の還流通路１０に連通させるのではなく、直接リザーバ６へ連通させるようにしている。
【００６８】
本例にあっては、圧力変動を生じないリザーバ６へ戻り通路１３を連通させるので、電磁比例リリーフ弁４がフローコントロール弁２により生ずる還流通路１０内の圧力変動の影響を全く受けない。
【００６９】
更に、本例にあっては、電磁比例リリーフ弁４の戻し通路１３をリザーバタンク６に連通させるのみでよいため、構成が簡単であると共に還流通路１０の圧力変動に一切影響されないので電磁比例リリーフ弁４の制御油圧を安定して精度良く制御できる。
【００７０】
図５に示すポンプ吐出圧制御装置は、電磁比例リリーフ弁４の戻り通路１１を従来と同様に還流通路１０に連通させるのであるが、還流通路１０もしくは還流通路１０と連通するポンプ吸込通路７に、脈動を吸収緩和するアキュムレータ１４等の脈動吸収装置を組み込んだものである。
【００７１】
従って、還流通路１０および還流通路１０と連通するポンプ吸込通路７（図５で示す例）に圧力変動を吸収するアキュムレータ１４を設置しているので、還流通路１０中の圧力変動は抑えられ、電磁比例リリーフ弁４の安定性に影響を与えることがない。
【００７２】
しかも、本例にあっては、還流通路１０若しくは還流通路１０が連通するポンプ吸込通路７に設置したアキュムレータ１４を用いるため、ポンプ吐出圧制御装置１の全体構成および回路構成に何ら変更を加えることなく達成できる。
【００７３】
また、アキュムレータ１４の圧力変動特性を調整することで所望の圧力変動のみを吸収させることもできる。
【００７４】
なお、上記実施形態において、圧力変動吸収手段としてオリフィスや小径穴、リザーバタンク、アキュムレータを用いるものについて説明したが、図示しないが、その他の圧力変動吸収手段であってもよい。
【００７５】
他の圧力変動吸収手段としては、例えば、チョークや戻り通路途中に容積を拡大して設けた容積部やポンプ吸込通路途中に第２のリザーバタンクを設けて第２リザーバタンクに戻り通路を連通させるような圧力変動吸収手段を用いるものであってもよく、また、これ以外の圧力変動吸収手段を用いるものであってもよい。
【００７６】
また、ポンプ吐出圧制御装置は、実施態様の一部に記載しているように自動車や産業車両に用いることは当然であるが、それ以外の用途にも、ポンプ吐出圧の制御が必要な場合には当然利用できるものである。
【図面の簡単な説明】
【図１】本発明の一実施形態を示すポンプ吐出圧制御装置の油圧回路を示す回路図。
【図２】図１におけるフローコントロール弁の断面図。
【図３】同じく図１における電磁比例リリーフ弁の断面図。
【図４】本発明の他の実施形態を示すポンプ吐出圧制御装置の油圧回路を示す回路図。
【図５】本発明の更に他の実施形態を示すポンプ吐出圧制御装置の油圧回路を示す回路図。
【符号の説明】
１  ポンプ吐出圧制御装置
２  フローコントロール弁
３  ポンプ
４  電磁比例リリーフ弁
５  ポンプ駆動装置
６  リザーバタンク（圧力変動吸収手段）
７  ポンプ吸込通路
８  アクチュエータ
９  ドレイン通路
１０  還流通路
１１，１３  戻し通路
１２  オリフィス（圧力変動吸収手段）
１４  アキュムレータ
２１  流量可変絞り（絞り）
２２  スプール弁
２４  リリーフ弁
５５  小径穴（圧力変動吸収手段）
【図１】
0004368508.tif 000002
【図２】
0004368508.tif 000003
【図３】
0004368508.tif 000004
【図４】
0004368508.tif 000005
【図５】
0004368508.tif 000006